(57)【要約】【課題】間伐等によって生じた小型の切り株を有効利用し、たとえば、着生ランのような着生植物を、自然な着生状態に活けて鑑賞することができ、しかも、そのまま着生させることも可能な観賞用盆鉢を提供する。【解決手段】略睡蓮鉢状の鉢本体１と、該鉢本体１の内部に設置される自然木の小型の切り株２とを設ける。該切り株２に植物Ｐを植え込む植込み穴３を凹設する。該植込み穴３の内部に保水材４を装着すると共に、該保水材４を介して植物Ｐを活けるように設ける。鉢本体１の側面に空気孔６を開穿する。保水材４として、植込み孔３に着生させた水苔を使用する。切り株２は、鉢本体１に充填した培養土５内に、土の付いた根と共に設置された切り株２を用いる。【選択図】図２
0003126476.tif 000002
【実用新案登録請求の範囲】
【請求項１】
略睡蓮鉢状の鉢本体と、該鉢本体の内部に設置される自然木の小型の切り株とから
成り、該切り株に植物を植え込む植込み穴を凹設し、該植込み穴の内部に保水材を装着すると共に、該保水材を介して植物を活けるように設け、鉢本体の側面に空気孔を開穿したことを特徴とする観賞用盆鉢。
【請求項２】
前記鉢本体の前記空気孔は、鉢本体の外側から内側に斜め下方に向けて開穿された請求項１記載の観賞用盆鉢。
【請求項３】
前記鉢本体は、該鉢本体に充填した培養土内に土の付いた根と共に前記切り株が設置され、前記保水材は、前記植込み孔に着生させた水苔からなり、鉢本体内で切り株と植物とが共生するように設けた請求項１又は２記載の観賞用盆鉢。
【考案の詳細な説明】
【技術分野】
【０００１】
本考案は、主に着生蘭などの観賞用植物を植え込むのに好適な観賞用盆鉢に関するものである。
【背景技術】
【０００２】
従来、自然木を利用した鉢や花器などは多く提案されている。たとえば特許文献１に記載されている自然木を利用した花立ては、丸太に花を生ける穴部を穿設し、孔部から水が漏れないように合成樹脂を充填するとともに、丸太全体に溶かした蝋を浸透させたものである。
【０００３】
また、特許文献２に記載された花器は、天然木を花器の形状に形成し、内側の水入れ部に浸透性の高い個合成樹脂を染み込ませ、花器の外部を透明な塗料で塗装した花器である。
【０００４】
更に、特許文献３に記載された植木鉢は、自然木の丸太を輪切りにし、中をくり抜いた植木鉢を水受け皿に載置したものが記載されている。
【特許文献１】実用新案登録第３０６６８７５号公報
【特許文献２】実開昭６２-２９１６５号公報
【特許文献２】実開昭６２-１８７５６４号公報
【考案の開示】
【考案が解決しようとする課題】
【０００５】
これら従来の鉢等は、いずれも自然木を利用していながら、自然の素材そのものを利用するものではなく、合成樹脂材や塗料で加工して用いるものであった。したがって、見た目には自然木でありながら、一般に用いられている鉢や花器と同様の使用に限定されるものである。
【０００６】
一方、着生植物と称される樹木に取り付いて生育する植物がある。例えば、ラン科デンドロビウム属の多年草は、樹木に着生するランとして知られている。このような着生ランは、一般に、本来の着生状態ではなく、通常の鉢などで栽培されている。そのため、着生ランを本来の樹木に着生した姿で鑑賞することは極めて困難であった。
【０００７】
また、植林において、たとえば、ヒノキや杉のように日当たりを確保してまっすぐに成長させるために、間伐を行っている。この際、幹が切断された樹木の根はそのまま放置されて朽ち果てるか、あるいは引き抜かれて放置されている。このように、間伐などで切断された切り株は、山中の景観を損ねるおそれもある。
【０００８】
そこで、本考案は、上述の課題を同時に解決すべく案出されたもので、間伐等によって生じた小型の切り株を有効利用し、たとえば、着生ランのような着生植物を、自然な着生状態に活けて鑑賞することができ、しかも、そのまま着生させることも可能な観賞用盆鉢の提供を目的とするものである。
【課題を解決するための手段】
【０００９】
本考案の第１の手段は、略睡蓮鉢状の鉢本体１と、該鉢本体１の内部に設置される自然木の小型の切り株２とから成り、該切り株２に植物Ｐを植え込む植込み穴３を凹設し、該植込み穴３の内部に保水材４を装着すると共に、該保水材４を介して植物Ｐを活けるように設け、鉢本体１の側面に空気孔６を開穿したことにある。
【００１０】
第２の手段において、前記鉢本体１の前記空気孔６は、鉢本体１の外側から内側に斜め下方に向けて開穿されている。
【００１１】
第３の手段の前記鉢本体１は、該鉢本体１に充填した培養土５内に土の付いた根と共に前記切り株２が設置され、前記保水材４は、前記植込み孔３に着生させた水苔からなり、鉢本体１内で切り株２と植物Ｐとが共生するように設けたことを課題解消のための手段とするものである。
【考案の効果】
【００１２】
本考案は、鉢本体１内に設置された自然木の小型の切り株２に、植物Ｐを植え込む植込み穴３を凹設し、該植込み穴３の内部に保水材４を装着し、該保水材４を介して植物を活けるように設けたことにより、たとえば間伐等により幹が切断された小型の切り株を有効利用することが可能になった。しかも、切り株２の植込み穴３に装着した保水材４により、活けられた植物を長期間保持することが可能になる。
【００１３】
鉢本体１の空気孔６を、鉢本体１の外側から内側に斜め下方に向けて開穿したことで、鉢本体１内部に酸素を送ることが可能になる。
【００１４】
更に、切り株２は、前記鉢本体１に収容した培養土５内に、土の付いた根と共に設置されているので、切り株２は、より自然に近い状態で保存される。この結果、植込み穴３に活けた着生ランを極めて自然な着生状態で鑑賞することが可能になる。また、保水材４として、植込み孔３に着生させた水苔を使用したことで、植込み穴３に植え込んだ植物の着生を促すことができる。したがって、生命力の強い着生種では、この切り株２に着生する可能性もある。このように、切り株２と保水材４である水苔とを利用して植物を活けることで、鉢本体１内で切り株２と植物Ｐとが共生するようになり、従来の鉢に活けられた植物には得られない面白みが得られるものである。
【００１５】
このように本考案によると、間伐等によって生じた小型の切り株を有効利用し、たとえば、着生ランのような着生植物を、自然な着生状態に活けて鑑賞することができ、しかも、そのまま着生させることも可能になるなどといった有益な種々の効果を奏するものである。
【考案を実施するための最良の形態】
【００１６】
本考案の最良の形態は、鉢本体１内に充填した培養土５内に、土の付いた根と共に自然木の小型の切り株２を設置する。この切り株２に植物Ｐを植え込む植込み穴３を凹設し、該植込み穴３の内部に着生させた水苔を保水材４とする。該保水材４を介して植物を活けるように設けることで当初の目的を達成するものである。
【実施例】
【００１７】
本考案は、鉢本体１と小型の切り株２とを組み合わせて、着生ラン等を活けるように設けている（図２参照）。すなわち、鉢本体１は、一般に水草などを栽培するために使用される瓶状の鉢で、直径３０cm〜６０cm、高さ２０cm〜４０cmのものが用いられる。この鉢本体１には、培養土５が充填されている。この鉢本体１には、鉢本体１の外側から内側に斜め下方に向いた空気孔６が開穿されている（図１、図３参照）。
【００１８】
切り株２は、間伐などで生じた自然木の切り株２を利用するもので、檜、杉をはじめとする針葉樹や、桜、梅、林檎、梨等の果樹類、あるいは欅などの落葉樹等の切り株２から、特に鉢本体１の内部に設置可能な小型の切り株２を使用する。たとえば、鉢本体１内に設置する切り株２の直径として１２cm〜２５cm、高さ３０cm〜９０cm程度のものが観賞用として好適である。このとき、鉢本体１の培養土５内に、土の付いた根と共に、生きた切り株２を移植することで、切り株２をより自然に近い状態で保存することが可能になる（図１参照）。
【００１９】
植込み穴３は、切り株２に凹設した部分で、切り株２の側面に複数個設け、この植込み穴３に任意の植物を活けて鑑賞するものである。この植込み穴３には保水材４が装着されており、この保水材４を介して植物を活けるようにしている（図１参照）。保水材４の種類として、たとえば水苔や海綿など、植物を活けるのに好適な保水材４を適宜選択して装着するものである。
【００２０】
この保水材４に、水苔を使用することで、着生植物の着生を促すことが可能になる。すなわち、この水苔を植込み穴３の内部に予め着生させておき、この水苔を介して着生植物を活けるようにする。そして、鉢本体１に、切り株２を生きた状態に保存する
ことで、切り株２と植物Ｐとを共生させることが可能になる。すると、着生ランのように生命力の強い植物Ｐを活けるのに都合が良く、また、活けた状態で植物Ｐの着生を促すことも可能になる。この結果、着生ラン等の植物Ｐを自然の着生状態で鑑賞できると共に、活けた状態で着生ランが着生した場合は、着生ラン本来の自然な着生状態で栽培し観賞することも可能になるものである（図２参照）。
【００２１】
本考案の植込み穴３に活ける植物Ｐは、たとえば前述の着生ランのほか、和ラン、洋ラン、野生ランなどの各種ランや、生命力の強い各種自生植物なども好適である。
【００２２】
尚、本考案は図示例に限定されるものではなく、鉢本体１の形状や、植込み穴３の数、形状、サイズなど、本考案の要旨を変更しない範囲において自由に変更することができるものである。
【図面の簡単な説明】
【００２３】
【図１】本考案の一実施例を示す縦断面図である。
【図２】本考案の一実施例を示す斜視図である。
【図３】本考案の鉢本体の他の実施例を示す断面図である。
【符号の説明】
【００２４】
１  鉢本体
２  切り株
３  植込み穴
４  保水材
５  培養土
６  空気孔
Ｐ  植物
【図１】
0003126476.tif 000003
【図２】
0003126476.tif 000004
【図３】
0003126476.tif 000005